【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
中央部分によって接続された近位端と遠位端とを有するサクションチューブであって、該近位端は、真空源に接続するように適合され、該サクションチューブはまた、内側表面と外側表面とを有する、サクションチューブと、
該サクションチューブの中央部の外側表面上の光クラッディングの層と、
近位端と遠位端とを有する照明導波路であって、該照明導波路は、該照明導波路の近位端から遠位端まで該サクションチューブの周りに光を伝導するために、該サクションチューブの中央部分上の該光クラッディングの周りに配置されている、照明導波路と、
照明入力部であって、供給源から該照明導波路に光を伝導するために該照明導波路の近位端の中に形成された照明入力部と
を備えている、照明サクションデバイス。
【請求項２】
前記光クラッディングの層は、１．２９〜１．６７の屈折率を有する、請求項１に記載の照明サクションデバイス。
【請求項３】
前記照明導波路は、０．３３〜０．７の開口数を有し、１．４６〜１．７０の屈折率を有する、請求項１に記載の照明サクションデバイス。
【請求項４】
前記照明導波路の遠位端上の１つ以上の微細構造であって、光を方向付け、事前選択された照明パターンを形成する１つ以上の微細構造をさらに備えている、請求項１に記載の照明サクションデバイス。
【請求項５】
前記照明導波路の外側表面上の遠位端近くに１つ以上の光抽出構造をさらに備えている、請求項１に記載の照明サクションデバイス。
【請求項６】
前記照明導波路の外側表面上に光クラッディングの層をさらに備えている、請求項１に記載の照明サクションデバイス。
【請求項７】
前記光クラッディングの層は、１．２９〜１．５の屈折率を有する、請求項６に記載の照明サクションデバイス。
【請求項８】
ポリマー材料から形成された照明導波路であって、近位端と、遠位端と、管腔と、外側表面とを有する照明導波路と、
該照明導波路の管腔内の光クラッディングの層と、
該管腔を通って延びるサクションチューブであって、該サクションチューブは、近位端と、遠位端と、内側表面と、外側表面とを有し、中央管腔が、該近位端から該遠位端まで延びている、サクションチューブと、
１つ以上の光伝導導管であって、該照明導波路の中に光を導入するために、該照明導波路の近位端に一体化されている１つ以上の光伝導導管と、
該照明導波路の遠位端近くの１つ以上の光抽出構造と
を備えている、照明サクション装置。
【請求項９】
前記ポリマー材料は、１．５〜１．５５の屈折率を有する、請求項８に記載の照明サクション装置。
【請求項１０】
前記光クラッディングの層は、１〜１．４２の屈折率を有する、請求項８に記載の照明サクション装置。
【請求項１１】
前記１つ以上の光伝導導管は、
前記照明導波路の前記遠位端上に１つ以上の光制御構造を備えている、請求項８に記載の照明サクション装置。
【請求項１２】
前記１つ以上の光伝導導管は、
前記照明導波路と一体に形成された概ね長方形の断面を有する２つの光導管を備えている、請求項８に記載の照明サクション装置。
【請求項１３】
前記概ね長方形の光導管は、
前記照明導波路と一体に形成された２つの概ね長方形の光導管をさらに備え、該光導管は、係合点を除いて該照明導波路の近位縁からずれており、該光導管は、斜めの反射表面において該照明導波路を係合している、請求項１２に記載の照明サクション装置。
【請求項１４】
照明サクション装置を製造する方法であって、
サクションチューブを提供するステップであって、該サクションチューブは、中央部によって接続された近位端および遠位端と、内側表面と、外側表面とを有する、ステップと、
該サクションチューブの中央部の上に収縮包装チューブに取り付けるステップと、
該収縮包装チューブを加熱することにより、該収縮包装チューブを該サクションチューブの上に収縮させるステップと、
該サクションチューブ上の該収縮包装チューブの上に照明導管を形成するステップであって、該照明導管は、外側表面と、入力部分と、出力部分とを有する、ステップと、
該照明導管の入力部分に光入力を提供するステップと、
該サクションチューブの近位端にサクション入力を提供するステップと
を包含する、方法。
【請求項１５】
前記照明導管の前記外側表面にコーティングを塗布することをさらに包含し、該コーティングは、クラッディング層として動作する、請求項１４に記載の方法。
【手続補正２】
【補正対象書類名】明細書
【補正対象項目名】００１４
【補正方法】変更
【補正の内容】
【００１４】
光学的導波路シースまたはアダプタまたはコネクタにおける１つ以上の表面は、マイクロ光学構造、薄膜コーティングまたはその他などの任意の適切な技術を用いて偏光され得る。外科手術環境において偏光された光の使用は、優れた照明を提供し得、カメラまたは外科医用めがねなどの視覚デバイスに相補的偏光コーティングを用いることと結合して、反射グレアを減少させて、視覚歪を少なくして、外科手術部位のより正確な演色を提供する。光学導波路シースの１つ以上の表面はまた、光フィルタリング要素を含み、特定の組織の視覚化を高め得る１つ以上の周波数の光を発し得る。
本願明細書は、例えば、以下の項目も提供する。
（項目１）
中央部分によって接続された近位端と遠位端とを有するサクションチューブであって、該近位端は真空源に接続するように適合され、該サクションチューブはまた内側表面と外側表面とを有する、サクションチューブと、
該サクションチューブの中央部の外側表面上の光クラッディングの層であって、１．２９〜１．６７の屈折率を有する光クラッディングの層と、
近位端と遠位端とを有する照明導波路であって、該照明導波路は、該照明導波路の近位端から遠位端まで該サクションチューブの周りに光を伝導するために、該サクションチューブの中央部分上の該光クラッディングの周りに配置されており、該照明導波路は、０．３３〜０．７の開口数を有し、１．４６〜１．７０の屈折率を有する、照明導波路と、
照明入力部であって、供給源から該照明導波路に光を伝導するために該照明導波路の近位端の中に形成された、照明入力部と
を備えている、照明サクションデバイス。
（項目２）
前記照明導波路の遠位端上の１つ以上の微細構造であって、光を方向付け、事前選択された照明パターンを形成する微細構造をさらに備えている、項目１に記載の照明サクション装置。
（項目３）
前記照明導波路の外側表面上の遠位端近くに１つ以上の光抽出構造をさらに備えている、項目１に記載の照明サクション装置。
（項目４）
前記照明導波路の外側表面上に１．２９〜１．５の屈折率を有する光クラッディングの層をさらに備えている、項目１に記載の照明サクション装置。
（項目５）
ポリマー材料から形成された照明導波路であって、１．５〜１．５５の屈折率を有し、近位端と、遠位端と、管腔と、外側表面とを有する照明導波路と、
該照明導波路の管腔内の光クラッディングの層であって、該光クラッディング層は、１〜１．４２の屈折率を有する、光クラッディングの層と、
該管腔を通って延びるサクションチューブであって、該サクションチューブは、近位端と、遠位端と、内側表面と、外側表面とを有し、中央管腔が、該近位端から該遠位端まで延びている、サクションチューブと、
１つ以上の光伝送導管であって、該照明導波路の中に光を導入するために、該照明導波路の近位端に一体化されている、１つ以上の光伝導管と、
該照明導波路の遠位端近くの１つ以上の光抽出構造と
を備えている、照明サクション装置。
（項目６）
１つ以上の光伝導管が、
前記照明導波路の前記遠位端上に１つ以上の光制御構造を備えている、項目５に記載の照明サクション装置。
（項目７）
１つ以上の光伝導管が、
前記照明導波路と一体に形成される概ね長方形の断面を有する２つの光導管を備えている、項目５に記載の照明サクション装置。
（項目８）
前記概ね長方形の光導管は、
前記照明導波路と一体に形成される２つの概ね長方形の光導管をさらに備え、該光導管は、係合点を除いて該照明導波路の近位縁からずれており、該光導管は、斜めされた反射表面において該照明導波路を係合している、項目７に記載の照明サクション装置。
（項目９）
照明サクション装置を製造する方法であって、
サクションチューブを提供するステップであって、該サクションチューブは、中央部によって接続された近位端および遠位端と、内側表面と、外側表面とを有する、ステップと、
該サクションチューブの中央部の上に収縮包装チューブに取り付けるステップと、
該収縮包装チューブを加熱することにより、該収縮包装チューブを該サクションチューブの上に収縮させるステップと、
該サクションチューブ上の該収縮包装チューブの上に照明導管を形成するステップであって、該照明導管は、外側表面と、入力部分と、出力部分とを有する、ステップと、
該照明導管の入力部分に光入力を提供するステップと、
該サクションチューブの近位端にサクション入力を提供するステップと
を包含する、方法。
（項目１０）
前記照明導管の前記外側表面にコーティングを塗布するステップをさらに包含し、該コーティングはクラッディング層として動作する、項目９に記載の方法。